(57)【要約】起立台周辺部の洗浄性を向上させることができる内視鏡を提供する。処置具挿通チャンネル（８２）が設けられた挿入部（１２）と、先端部本体（３６）と、先端部本体（３６）に設けられ、第１方向に開口した起立台収容部（６２）と、起立台収容部（６２）の内部に開口し、処置具挿通チャンネル（８２）に連通した処置具導出口（８０）と、起立台（６０）と、を備え、起立台（６０）は、起立位置に位置する状態において処置具導出口（８０）に対面する対面領域の内側に第１面（６４）及び第２面（６６）を有し、第１面（６４）は、処置具挿通チャンネル（８２）の軸線（８２Ａ）方向に対して起立台収容部（６２）の開口部（５８）側に傾斜して設けられ、かつ、第２面（６６）は、処置具挿通チャンネル（８２）の軸線（８２Ａ）方向に対して起立台収容部（６２）の開口部（５８）側とは反対側に傾斜して設けられる内視鏡（１）である。
2019146330.tif 000002
【特許請求の範囲】
【請求項１】
処置具挿通チャンネルが設けられた挿入部と、
前記挿入部の先端に設けられた先端部本体と、
前記先端部本体に設けられ、前記先端部本体の軸線方向に垂直な第１方向に開口した起立台収容部と、
前記起立台収容部の内部に開口しており、かつ前記処置具挿通チャンネルに連通した処置具導出口と、
前記起立台収容部の内部に配置され、起立位置と倒伏位置との間で回転軸を中心に回転自在に設けられた起立台と、を備え、
前記起立台は、前記起立台が前記起立位置に位置する状態において前記処置具導出口に対面する対面領域の内側に第１面及び第２面を有し、
前記起立台の回転軸方向からみたとき、前記第１面は、前記処置具挿通チャンネルの軸線方向に対して前記起立台収容部の開口側に傾斜して設けられ、かつ、前記第２面は、前記処置具挿通チャンネルの軸線方向に対して前記起立台収容部の開口側とは反対側に傾斜して設けられる内視鏡。
【請求項２】
前記第１面及び前記第２面は、前記起立台が前記起立位置に位置する状態において前記処置具挿通チャンネルの軸線方向に直交する面に投影したとき、前記起立台を構成する面のうち前記処置具導出口が形成される領域の内側に配置される面である請求項１に記載の内視鏡。
【請求項３】
前記第２面は、前記起立台が前記倒伏位置に位置する状態において前記対面領域の外側に配置される請求項１又は２に記載の内視鏡。
【請求項４】
前記第２面は、前記起立台の回転軸方向からみたとき、前記起立台が前記倒伏位置に位置する状態の場合には前記回転軸よりも前記先端部本体の軸線方向の先端側に配置される請求項１から３のいずれか１項に記載の内視鏡。
【請求項５】
前記先端部本体は、前記起立台収容部の開口側とは反対側の底壁部を貫通して形成された洗浄用連通孔を有する請求項１から４のいずれか１項に記載の内視鏡。
【請求項６】
前記先端部本体は、前記洗浄用連通孔の周囲に、前記起立台収容部に洗浄液を供給するためのシリンジが嵌入可能に凹設されたザグリ部を有する請求項５に記載の内視鏡。
【請求項７】
前記先端部本体は、前記先端部本体の軸線方向に直交する面に投影したとき、前記第１方向における位置が、前記起立台収容部の開口側に配置される観察窓を有する請求項１から６のいずれか１項に記載の内視鏡。
【請求項８】
前記観察窓は、前記起立台収容部よりも前記先端部本体の軸線方向の基端側に配置される請求項７に記載の内視鏡。
【請求項９】
前記観察窓は、前記起立台収容部から前記第１方向に垂直な第２方向にオフセットして配置される請求項７又は８に記載の内視鏡。
【請求項１０】
前記先端部本体の先端側に、複数の超音波振動子を有する超音波トランスデューサを備える請求項１から９のいずれか１項に記載の内視鏡。
【発明の詳細な説明】
【技術分野】
【０００１】
本発明は、内視鏡に係り、特に、開口部から導出する処置具を起立させる起立台を備えた内視鏡に関する。
【背景技術】
【０００２】
従来、内視鏡において、体腔内に挿入される挿入部の先端部本体に起立台および起立台収容部を備え、処置具挿通チャンネルを挿通させて先端部本体の処置具導出部から導出する処置具を起立台により起立させるとともに、起立台の起立角度を変更して処置具の導出方向を調整することができるものが知られている。【０００３】
例えば、下記の特許文献１には、処置具導出部に起立台が設けられ、その起立台に回転軸を介して起立レバーが連結され、起立レバーには操作ワイヤが連結され、その操作ワイヤは挿入部の基端部に連設される操作部の操作により押し引きされる内視鏡が記載されている。
【先行技術文献】
【特許文献】
【０００４】
【特許文献１】特開２００５−２８７５９３号公報
【発明の概要】
【発明が解決しようとする課題】
【０００５】
被検者の体腔内に挿入された内視鏡はそのつど洗浄を行う必要がある。起立台を備えた十二指腸鏡では洗浄しやすいように先端キャップを着脱式とし、先端キャップを外すことで、起立台周りの洗浄性を確保している。しかしながら、超音波内視鏡などのように、先端側に超音波振動子を有し、超音波振動子の液密構造が求められる場合など、着脱式の先端キャップを使用できない場合がある。このような場合、起立台周りの洗浄は、起立台収容部の開口から、ブラシおよびシリンジなどの洗浄具を用いて行うことしかできず、起立台の裏面などの洗浄性の向上が求められていた。【０００６】
また、内視鏡の洗浄時に操作部側から薬液を注入し、先端部の処置具導出口から起立台収容部に薬液を放出するが、処置具導出口の正面（薬液の放出側）に起立台が存在すると、起立台に当った薬液が、そのまま開口部から内視鏡の外側に漏れ出てしまうため、起立台の起立機構の回転軸周りの洗浄性を向上させることが求められていた。【０００７】
本発明はこのような事情に鑑みてなされたものであり、内視鏡の洗浄性、特に、起立機構の洗浄性を向上させることができる内視鏡を提供することを目的とする。
【課題を解決するための手段】
【０００８】
本発明の目的を達成するために、本発明に係る内視鏡は、処置具挿通チャンネルが設けられた挿入部と、挿入部の先端に設けられた先端部本体と、先端部本体に設けられ、先端部本体の軸線方向に垂直な第１方向に開口した起立台収容部と、起立台収容部の内部に開口しており、かつ処置具挿通チャンネルに連通した処置具導出口と、起立台収容部の内部に配置され、起立位置と倒伏位置との間で回転軸を中心に回転自在に設けられた起立台と、を備え、起立台は、起立台が起立位置に位置する状態において処置具導出口に対面する対面領域の内側に第１面及び第２面を有し、起立台の回転軸方向からみたとき、第１面は、処置具挿通チャンネルの軸線方向に対して起立台収容部の開口側に傾斜して設けられ、かつ、第２面は、処置具挿通チャンネルの軸線方向に対して起立台収容部の開口側とは反対側に傾斜して設けられる。【０００９】
本発明の一形態は、第１面及び第２面は、起立台が起立位置に位置する状態において処置具挿通チャンネルの軸線方向に直交する面に投影したとき、起立台を構成する面のうち処置具導出口が形成される領域の内側に配置される面であることが好ましい。【００１０】
本発明の一形態は、第２面は、起立台が倒伏位置に位置する状態において対面領域の外側に配置されることが好ましい。【００１１】
本発明の一形態は、第２面は、起立台の回転軸方向からみたとき、起立台が倒伏位置に位置する状態の場合には回転軸よりも先端部本体の軸線方向の先端側に配置されることが好ましい。【００１２】
本発明の一形態は、先端部本体は、起立台収容部の開口側とは反対側の底壁部を貫通して形成された洗浄用連通孔を有することが好ましい。【００１３】
本発明の一形態は、先端部本体は、洗浄用連通孔の周囲に、起立台収容部に洗浄液を供給するためのシリンジが嵌入可能に凹設されたザグリ部を有することが好ましい。【００１４】
本発明の一形態は、先端部本体は、先端部本体の軸線方向に直交する面に投影したとき、第１方向における位置が、起立台収容部の開口側に配置される観察窓を有することが好ましい。【００１５】
本発明の一形態は、観察窓は、起立台収容部よりも先端部本体の軸線方向の基端側に配置されることが好ましい。【００１６】
本発明の一形態は、観察窓は、起立台収容部から第１方向に垂直な第２方向にオフセットして配置されることが好ましい。【００１７】
本発明の一形態は、先端部本体の先端側に、複数の超音波振動子を有する超音波トランスデューサを備えることが好ましい。
【発明の効果】
【００１８】
本発明の内視鏡によれば、処置具導出口から放出された洗浄液を、起立台により、起立台収容部の開口側と、起立台の回転軸側へ流れるように誘導することができるので、起立機構（回転軸）の洗浄を確実に行うことができる。
【図面の簡単な説明】
【００１９】
【図１】本発明の超音波内視鏡の全体図である。
【図２】挿入部の先端部の外観を示した斜視図である。
【図３】挿入部の先端部の外観を示した平面図（上面図）である。
【図４】挿入部の先端部の側断面図である。
【図５】図３における５−５線に沿う断面図である。
【図６】起立台が起立位置にある状態の先端部の側断面図である。
【図７】起立台が倒伏位置にある状態の側断面図である。
【図８】処置具導出口と起立台の位置関係を説明する図である。
【図９】挿入部の先端微の下面図である。
【発明を実施するための形態】
【００２０】
以下、添付図面に従って、本発明に係る内視鏡について説明する。
【００２１】
（内視鏡）
図１は、本発明が適用される内視鏡１の全体図である。なお、以下の実施形態は、超音波内視鏡を例として説明するが、本発明は超音波内視鏡以外の内視鏡にも適用することができる。すなわち、起立台及び起立機構を有する内視鏡であれば、本発明を適用することができる。
【００２２】
同図における内視鏡１は、施術者が把持して各種操作を行う操作部１０と、患者の体腔内に挿入される挿入部１２と、ユニバーサルコード１４と、から構成される。内視鏡１は、ユニバーサルコード１４を介して、内視鏡システムを構成する不図示のプロセッサ装置および光源装置などのシステム構成装置に接続される。
【００２３】
操作部１０には、施術者によって操作される各種操作部材が設けられており、例えば、作用を適宜後述するアングルノブ１６、起立操作レバー１８、送気送水ボタン２０および吸引ボタン２２などが設けられている。
【００２４】
また、操作部１０には、挿入部１２内を挿通する処置具挿通チャンネルに処置具を挿入する処置具導入口２４が設けられている。
【００２５】
挿入部１２は、操作部１０の先端から延出されており、全体が細径で長尺状に形成されている。
【００２６】
また、挿入部１２は、基端側から先端側に向かって順に軟性部３０、湾曲部３２および先端部３４により構成されている。
【００２７】
軟性部３０は、挿入部１２の基端側からの大部分を占めており、任意の方向に湾曲する可撓性を有している。挿入部１２を体腔内に挿入した際には、軟性部３０が体腔内への挿入経路に沿って湾曲する。
【００２８】
湾曲部３２は、操作部１０のアングルノブ１６の回転操作によって上下方向および左右方向に湾曲動作するようになっており、湾曲部３２を湾曲動作させることによって先端部３４を所望の方向に向けることができる。
【００２９】
先端部３４は、図２から図４を参照して詳細を後述するように、複数の超音波振動子を有する超音波トランスデューサ５０と、超音波トランスデューサ５０の基端側に連設された先端部本体３６と、を備える。また、先端部本体３６には起立台収容部６２が設けられており、起立台収容部６２は、先端部本体３６の軸線３８方向に垂直な第１方向に向かって開口する開口部５８を有する。更に、先端部本体３６には、起立台収容部６２の内部に開口し、処置具が導出される処置具導出口８０が設けられる。更にまた、起立台収容部６２の内部には、処置具導出口８０から導出された処置具の導出方向を変更する起立台６０が設けられている。なお、先端部本体３６の軸線３８とは、図１の挿入部１２の長手方向の軸線と一致する線または平行な線のことをいう。
【００３０】
図１に示すユニバーサルコード１４は、内部に電気ケーブル、ライトガイド、および流体チューブを内包している。このユニバーサルコード１４の不図示の端部にはコネクタが備えられており、そのコネクタをプロセッサ装置、および光源装置等の内視鏡システムを構成する所定のシステム構成装置に接続することによって、システム構成装置から内視鏡１に内視鏡１の運用に必要な電力、制御信号、照明光、液体および気体等が供給され、また、撮像部により取得される観察画像のデータ、および超音波トランスデューサにより取得された超音波画像のデータが内視鏡１からシステム構成装置に伝送される。なお、システム構成装置に伝送された観察画像および超音波画像はモニタに表示され、施術者等が観察することができる。
【００３１】
（先端部の構成）
続いて、挿入部１２の先端部３４の構成について説明する。図２は、先端部３４の外観を示した斜視図である。図３は、平面図（上面図）である。図４は側断面図である。
【００３２】
先端部３４は、その外壁および内部の隔壁を形成する先端部本体３６を有し、その先端部本体３６に備えられた収容部に先端部本体３６に配置される各構成部品が収容保持される。
【００３３】
詳細は省略するが、先端部本体３６はその一部をセパレートブロックとして着脱可能に取り外すことができ、セパレートブロックを取り外した状態で各構成部品を所定の収容部に組み付けることができる。各構成部品を収容部に組み付けた後、セパレートブロックを先端部本体３６に取り付けることによって、各構成部品が収容部に収容保持されて先端部３４に固定される。
【００３４】
先端部本体３６は、絶縁性を有する絶縁材料、例えば、メタクリル樹脂、およびポリカーボネイドのようなプラスチック等の樹脂材料により形成されている。
【００３５】
先端部３４は、図２から図４に示すように先端部本体３６を構成する基部４０と、基部４０から先端側に延設されて超音波トランスデューサ５０を保持する延部４２と、から構成されている。
【００３６】
すなわち、延部４２には、超音波を送受する超音波振動子を先端部本体３６の軸線３８方向に沿って湾曲状に配列して形成された超音波送受信面５２を有するコンベックス型の超音波トランスデューサ５０が配置されている。この超音波トランスデューサ５０により体内組織の超音波画像を生成するデータが取得される。
【００３７】
図２および図３に示すように、先端部本体３６には、観察窓４４と、照明窓４６Ｌ、４６Ｒと、送気送水ノズル４８と、処置具を導出する開口部５８と、開口部５８の周囲に設けられた立ち壁部６８とが設けられている。
【００３８】
開口部５８は、先端部本体３６の基部４０に設けられ、開口部５８から、超音波トランスデューサ５０の超音波の走査範囲に処置具が導出される。開口部５８は、先端部本体３６に設けられた起立台収容部６２の、先端部本体３６の軸線３８方向に直交する第１方向に向かって開口して形成されている。なお、図２に示すように、開口部５８は、その一部が、先端側の下方に向かって斜めに傾斜して形成されていてもよく、また、開口部５８の全てが斜めに傾斜して形成されていてもよい。本明細書において、「第１方向」とは、図４の矢印Ａで示すように、先端部本体３６の軸線３８方向に垂直で、起立台収容部６２の開口部５８が形成されている方向をいう。また、「第２方向」とは、図２の如く、先端部本体３６の軸線３８方向と矢印Ａで示した第１方向とに垂直な、矢印Ｂで示す方向をいう。また、「第１方向の一方側」とは、開口部５８が開口している側をいう。また、本明細書において、第１方向の一方側を「上」および「上方」といい、第１方向の他方側を「下」および「下方」という場合もある。
【００３９】
図４に示すように、起立台収容部６２の基端側には、起立台収容部６２の内部に開口した処置具導出口８０が配置される。処置具導出口８０は、挿入部１２に挿通された処置具挿通チャンネル８２を介して操作部１０の処置具導入口２４（図１参照）に連通されている。これにより、内視鏡を体腔内に挿入し、処置または観察する時には、処置具導入口２４から挿入された処置具が処置具導出口８０（図４参照）から起立台収容部６２に導出される。また、内視鏡の洗浄時には、処置具導入口２４から洗浄液を注入することで、処置具挿通チャンネル８２を通り、処置具導出口８０から洗浄液を起立台収容部６２内に放出される。
【００４０】
起立台収容部６２の処置具導出口８０の前方となる位置には、起立台６０が配置されている。起立台６０は、起立位置と倒伏位置との間で回転軸９２を中心に回転自在に設けられている。起立台６０は、ステンレス鋼などの金属材料により形成されており、上面側に先端部本体３６の基端側から先端側に向かって上方に湾曲する凹面状のガイド面６０ａを有している。処置具導出口８０から導出された処置具はそのガイド面６０ａに沿って先端部本体３６の軸線３８方向（例えば、挿入部１２の長手軸方向）に対して上向きに起立台収容部６２の上側の開口部５８から外部に導出される。
【００４１】
また、起立台６０は、図１に示した起立操作レバー１８の操作により、回転軸９２を中心に回転し、起立動作するようになっている。起立台６０を起立動作させて倒伏状態からの起立角度を調整することにより開口部５８から導出する処置具の導出方向（導出角度）を変更することができる。
【００４２】
なお、図４に示した処置具挿通チャンネル８２は、不図示の吸引チャンネルとも連結されており、図１の吸引ボタン２２を操作することにより、開口部５８から体液などを吸引することもできる。
【００４３】
観察窓４４は、起立台収容部６２の基端側に設けられた観察手段形成面７２に配設されている。観察窓４４の内部には、撮影部を構成する結像光学系と固体撮像素子とが一体的に組み立てられた撮像系ユニットが収容されている。これにより、撮像部の視野範囲となる処置部からの光が観察窓４４から取り込まれると、その光は結像光学系を介して個体撮像素子に観察像として結像される。つまり、処置部が固体撮像素子によって撮像される。
【００４４】
観察窓４４が配置される観察手段形成面７２は、先端部本体３６の軸線３８方向の先端側に向かう法線成分を有する面により構成される。すなわち、観察手段形成面７２は、先端部３４の基端側に向かって上方に傾斜している傾斜面として形成されている。観察手段形成面７２を、先端側に向かう法線成分を有する面とし、観察手段形成面７２に観察窓４４を設けることで、観察窓４４により、開口部５８から処置具が導出される位置を観察窓４４の視野範囲に入れることができる。したがって、開口部５８から目的の処置位置まで処置具を観察窓４４で確認することができる。なお、観察手段形成面７２は、先端部本体３６の軸線３８方向に対して垂直な垂直面により構成されていてもよい。
【００４５】
照明窓４６Ｌ、４６Ｒは、観察手段形成面７２に、観察窓４４を挟んで両側に設けられている。照明窓４６Ｌ、４６Ｒの内部には照明部を構成する光出射部が収容されている。光出射部からは、ユニバーサルコード１４に接続された光源装置からライトガイドを介して伝送された照明光が出射され、その照明光が照明窓４６Ｌ、４６Ｒを介して撮像部の視野範囲の処置部に照射される。
【００４６】
送気送水ノズル４８は、観察手段形成面７２に設けられている。そして、図１の送気送水ボタン２０の操作によって、図２の送気送水ノズル４８から観察窓４４に向けて洗浄液、水、またはエアーなど（以下、「洗浄液など」ともいう）が噴射されて観察窓４４の洗浄などが行われる。
【００４７】
図４に示すように、先端部本体３６において、起立台収容部６２の開口部５８が配置される側とは反対側の底壁部７８に、起立台収容部６２と外部とを連通する洗浄用連通孔８４を備える。洗浄用連通孔８４を設けることで、ブラシ又はシリンジなどの洗浄具を洗浄用連通孔８４から起立台収容部６２に挿入することができるので、起立台６０の裏面側およびその周辺部の洗浄を容易に行うことができる。
【００４８】
図５は、図３における５−５線に沿う先端部本体３６の断面図である。先端部本体３６には、ケーブル挿通孔８９に挿通されて信号ケーブル８６が配設される、これらの信号ケーブル８６は、図２に示した超音波トランスデューサ５０の超音波振動子（不図示）とシステム構成装置とを接続するケーブルであり、これらの信号ケーブル８６は、図１の挿入部１２からユニバーサルコード１４にかけて配設される。ケーブル挿通孔８９は、図５に示すように、矢印Ａで示す第１方向に垂直な仮想面８７にケーブル挿通孔８９、および起立台収容部６２を投影したとき、ケーブル挿通孔８９は起立台収容部６２の領域６２Ａと異なる領域８９Ａに配置されている。すなわち、ケーブル挿通孔８９と起立台収容部６２は、正面からみたとき、図５に示すように、第２方向に並んで配置されている。起立台収容部６２の第２方向の一方側（図５において起立台収容部６２の右側方）に配置されている。このとき、起立台収容部６２は、先端部本体３６の中心位置Ｃから、第２方向の他方側（図５において中心位置Ｃから左側方）にオフセットして配置されている。
【００４９】
このように、ケーブル挿通孔８９を、起立台収容部６２の第２方向に並んで配置することで、起立台収容部６２を先端部本体３６内の下方に配置することができる。下方に配置することで、洗浄用連通孔８４から起立台６０までの距離を短くすることができ、起立台６０の裏面側及びその周辺部の洗浄も容易に行うことができる。
【００５０】
次に、開口部５８、起立台収容部６２、及び、観察窓４４の位置関係について説明する。本実施形態では、図５に示すように、起立台収容部６２を先端部本体３６内において、下方に配置することで、先端部本体３６を構成する各部品の位置関係を次のようにすることができる。
【００５１】
図４に示すように、矢印Ａで示す第１方向（図４の上下方向）における観察窓４４位置は、開口部５８の位置を基準位置としたとき、起立台収容部６２の反対側となる位置に配置される。すなわち、先端部本体３６を軸線３８方向に直交する仮想面に投影したとき、観察窓４４は、起立台収容部６２の開口側（開口部５８側）に配置される。このように、観察窓４４を開口部５８より上方とすることで、開口部５８から処置具が導出される位置で、処置具を観察窓４４の観察視野に入れることができる。したがって、目標位置に処置具を案内することができ、狙撃性を向上させることができる。
【００５２】
観察窓４４と起立台収容部６２との第２方向の位置は、図３に示すように、観察窓４４が、起立台収容部６２から矢印Ｂで示す第２方向にオフセットして配置されていることが好ましい。ここで、起立台収容部６２から第２方向に観察窓４４がオフセットして配置されているとは、例えば、図３に示すように、上面視で、観察窓４４の中心線４４Ａが、起立台６０の中心線６０Ａに対して矢印Ｂで示す第２方向にずれていることをいう。このような構成とすることで、起立台６０を起立させ、処置具が開口部５８から導出された状態においても、観察窓４４の観察視野が、処置具および起立台６０により遮られることを防止することができ、観察窓４４で処置位置を確実に確認することができる。
【００５３】
図６は、起立台が起立位置にある状態の内視鏡の側面の断面図である。図７は、起立台が倒伏位置にある状態の側面の断面図である。
【００５４】
本実施形態では、処置具導出口８０から放出された洗浄液が、開口側（開口部５８側）だけでなく回転軸９２側にも向かって、流れるようにするために、互いに異なる方向に向いた第１面６４及び第２面６６の２つの面を含んで構成される。起立台６０が起立位置にある状態において、第１面６４及び第２面６６は、処置具導出口８０に対面する対面領域の内側に設けられている。すなわち、図６に示すように、第１面６４及び第２面６６は、処置具挿通チャンネル８２の軸線８２Ａ方向に直交する仮想面８３に、起立位置にある起立台６０及び処置具導出口８０を投影したとき、処置具導出口の領域８０Ａの内側に、第１面６４の領域６４Ａの少なくとも一部及び第２面６６の領域６６Ａの少なくとも一部が配置される。第１面６４及び第２面６６をこのように配置することで、処置具導出口８０から起立位置にある起立台６０を見たとき、第１面６４及び第２面６６の両面が、処置具導出口８０から見える位置に配置される。起立台６０が起立位置にある状態において、第１面６４及び第２面６６は、処置具導出口８０に対面する対面領域の内側に設けることで、処置具導出口８０から放出された洗浄液を、第１面６４及び第２面６６に当てることができる。
【００５５】
さらに、起立台６０を回転軸方向からみたとき、処置具挿通チャンネル８２の軸線８２Ａ方向に対して、第１面６４は、起立台収容部６２の開口部５８側に傾斜して設けられている。また、第２面６６は、処置具挿通チャンネル８２の軸線８２Ａ方向に対して、起立台収容部６２の開口部５８側とは反対側に傾斜して設けられている。すなわち、起立台６０が起立位置にある状態において、第１面６４は、処置具挿通チャンネル８２の軸線８２に対して斜め上方に向かって形成されており、第２面６６は、処置具挿通チャンネル８２の軸線８２Ａに対して斜め下方に向かって形成されている。第１面６４を起立台収容部６２の開口部５８側に傾斜して設けることで、第１面６４に当たった洗浄液を、図６の矢印Ｃで示すように、開口部５８側に誘導することができる。また、第２面６６を、起立台収容部６２の開口部５８側とは反対側、すなわち、第１面６４と反対側に傾斜して設けることで、第２面６６に当った洗浄液を、図６の矢印Ｄで示すように、回転軸９２側及び起立台収容部６２の下方に導くことができる。そのため、処置具導出口８０から放出された洗浄液を、起立台収容部６２の内部、特に、起立台６０の下面側に供給することができる。
【００５６】
また、起立台６０は、倒伏位置にある状態において、第１面６４が処置具導出口８０の対面領域の内側に配置され、第２面６６が処置具導出口８０の対面領域の外側に配置されるようになっている。すなわち、図７において、処置具挿通チャンネル８２の軸線８２Ａ方向に直交する仮想面８３に、倒伏位置にある起立台６０及び処置具導出口８０を投影した時、第１面６４の領域６４Ｂと処置具導出口８０の領域８０Ａが重なる位置に配置される。また、第２面の領域６６Ｂと処置具導出口８０の領域８０Ａが異なる位置に配置される。第１面６４を対面領域の内側に配置し、第２面６６を対面領域の外側に配置することで、起立台６０の倒伏位置において、処置具導出口８０から導出された処置具を、起立台６０の第１面６４まで、スムーズに誘導することができる。また、処置具をガイドした状態で、起立台６０を起立位置と倒伏位置に移動させても、処置具の導出方向の変更を良好に行うことができる。
【００５７】
図８は、処置具導出口８０と起立台６０の位置関係を説明する図である。図８においては、起立台６０が倒伏位置にある状態を実線で、起立位置にある状態を二点鎖線で示す。
【００５８】
起立台６０が起立位置にある状態において、第１面６４と第２面６６との境界である分岐点６５は、処置具導出口８０の下端を処置具挿通チャンネル８２の軸線８２Ａ方向に延長した仮想線８１より上方に配置される。このように構成することで、起立台６０の起立状態において、第１面６４及び第２面６６を、処置具導出口８０の対面領域の内側に配置することができ、洗浄液を第１面６４及び第２面６６に当てることができる。
【００５９】
また、起立台６０が起立位置にある状態において、第２面６６と処置具挿通チャンネル８２の軸線８２Ａとのなす角αは、９０°より大きい角度とする。これにより、第２面６６に当った洗浄液は、回転軸９２側に誘導され、回転軸９２の洗浄性を向上させることができる。
【００６０】
さらに、起立台６０の倒伏時において、分岐点６５は、仮想線８１より下方に配置される。また、分岐点６５と回転軸９２の中心点とを結ぶ線と、第１方向に平行な線と、のなす角βが先端側に０°以上である。このような構成とすることで、処置具導出口８０から導出された処置具を、起立台６０の第１面６４まで、スムーズに誘導することができる。
【００６１】
さらに、起立台６０が倒伏位置に位置する状態において、起立台６０の回転軸９２方向からみたとき、起立台６０の第２面６６は、起立台６０の回転軸９２よりも、軸線３８方向の先端側に配置されることが好ましい。第２面６６を、起立台６０の回転軸９２よりも先端側に配置することで、起立台６０を起立位置に配置したとき、第２面６６を対面領域内に配置することができる。
【００６２】
なお、図６から図８に示す起立台６０は、第１面６４及び第２面６６が直接つながって形成されているが、処置具導出口８０に対面する対面領域の内側に第１面及び第２面を有し、処置具挿通チャンネルの軸線方向に対して、第１面が開口側に、第２面がその反対側に傾斜していれば、第１面と第２面との間に別の面を介して接続されていてもよい。また、第１面６４及び第２面６６は、平面に限定されず、第１面６４及び第２面６６の両方またはいずれか一方が曲面であっても、洗浄液をそれぞれの方向に誘導することができれば、第１面６４と第２面６６が滑らかな連続した曲面として形成されていてもよい。
【００６３】
図９は、先端部本体の下面図である。上述したように、先端部本体３６は、起立台収容部６２の底壁部７８を貫通し、起立台収容部６２と外部とを連通する洗浄用連通孔８４を有する。さらに、洗浄用連通孔８４の周囲には、洗浄液を供給するためのシリンジが嵌入可能に凹設されたザグリ部９０を有する。ザグリ部９０を設けることで、洗浄液（薬液）を供給するためのシリンジを固定することができる。したがって、洗浄液を供給する際のシリンジのブレを防止し、洗浄液を所定の位置、例えば、起立台６０に確実に供給することができる。シリンジの固定は、シリンジの外筒がザグリ部９０で、動かないように固定することができていればよい。また、この洗浄用連通孔８４から、ブラシを挿入することで、起立台６０の開口部５８の反対側の部分の洗浄を容易に行うことができる。
【００６４】
また、図９に示すように、先端部本体３６は、洗浄用連通孔８４に着脱可能な蓋８８を有することが好ましい。内視鏡１の挿入部１２を被検者の体腔内に挿入する際は、洗浄用連通孔８４に蓋８８を装着して洗浄用連通孔８４を閉塞することで、起立台収容部６２内への汚れの付着を抑制することができる。また、起立台６０を洗浄する際は、洗浄用連通孔８４から蓋８８を外すことで、洗浄具による起立台の裏面側及びその周辺部の洗浄を行うことができる。
【００６５】
以上説明したとおり、本実施形態によれば、起立台６０を構成する第１面６４及び第２面６６が、起立台６０の起立時において、処置具導出口８０の対面領域に配置されるとともに、第１面６４が、処置具挿通チャンネル８２の軸線８２Ａ方向に対して開口部５８側に傾斜して設けられ、第２面６６が開口部５８とは反対側に傾斜して設けられている。これにより、処置具導出口８０から放出された洗浄液を、第１面６４及び第２面６６で起立台収容部６２の開口側と、起立台の回転軸９２側に誘導することができるので、起立機構の洗浄性が向上するという効果が得られる。
【００６６】
なお、上記では、コンベックス型の超音波トランスデューサで説明したが、本発明は、コンベックス型の超音波トランスデューサに限定されず、ラジアル型の超音波トランスデューサにも適用することができる。
【符号の説明】
【００６７】
１  内視鏡
１０  操作部
１２  挿入部
１４  ユニバーサルコード
１６  アングルノブ
１８  起立操作レバー
２０  送気送水ボタン
２２  吸引ボタン
２４  処置具導入口
３０  軟性部
３２  湾曲部
３４  先端部
３６  先端部本体
３８  先端部本体の軸線
４０  基部
４２  延部
４４  観察窓
４４Ａ  観察窓の中心線
４５  観察窓の軸線
４６Ｌ、４６Ｒ  照明窓
４８  送気送水ノズル
５０  超音波トランスデューサ
５２  超音波送受信面
５８  開口部
６０  起立台
６０Ａ  起立台の中心線
６２、６２Ａ  起立台収容部
６４、６４Ａ、６４Ｂ  第１面
６５  分岐点
６６、６６Ａ、６６Ｂ  第２面
６８  立ち壁部
７２  観察手段形成面
７８  底壁部
８０、８０Ａ  処置具導出口
８１  仮想線
８２  処置具挿通チャンネル
８２Ａ  処置具挿通チャンネルの軸線
８３、８７  仮想面
８４  洗浄用連通孔
８６、８６Ａ  信号ケーブル
８８  蓋
８９、８９Ａ  ケーブル挿通孔
９０  ザグリ部
９２  回転軸
【図１】
2019146330.tif 000003
【図２】
2019146330.tif 000004
【図３】
2019146330.tif 000005
【図４】
2019146330.tif 000006
【図５】
2019146330.tif 000007
【図６】
2019146330.tif 000008
【図７】
2019146330.tif 000009
【図８】
2019146330.tif 000010
【図９】
2019146330.tif 000011
【手続補正書】
【提出日】令和2年6月16日(2020.6.16)
【手続補正１】
【補正対象書類名】明細書
【補正対象項目名】００１９
【補正方法】変更
【補正の内容】
【００１９】
【図１】本発明の超音波内視鏡の全体図である。
【図２】挿入部の先端部の外観を示した斜視図である。
【図３】挿入部の先端部の外観を示した平面図（上面図）である。
【図４】挿入部の先端部の側断面図である。
【図５】図３における５−５線に沿う断面図である。
【図６】起立台が起立位置にある状態の先端部の側断面図である。
【図７】起立台が倒伏位置にある状態の側断面図である。
【図８】処置具導出口と起立台の位置関係を説明する図である。
【図９】挿入部の先端部の下面図である。
【手続補正２】
【補正対象書類名】明細書
【補正対象項目名】００３４
【補正方法】変更
【補正の内容】
【００３４】
先端部本体３６は、絶縁性を有する絶縁材料、例えば、メタクリル樹脂、およびポリカーボネイトのようなプラスチック等の樹脂材料により形成されている。
【手続補正３】
【補正対象書類名】明細書
【補正対象項目名】００４３
【補正方法】変更
【補正の内容】
【００４３】
観察窓４４は、起立台収容部６２の基端側に設けられた観察手段形成面７２に配設されている。観察窓４４の内部には、撮像部を構成する結像光学系と固体撮像素子とが一体的に組み立てられた撮像系ユニットが収容されている。これにより、撮像部の視野範囲となる処置部からの光が観察窓４４から取り込まれると、その光は結像光学系を介して固体撮像素子に観察像として結像される。つまり、処置部が固体撮像素子によって撮像される。
【手続補正４】
【補正対象書類名】明細書
【補正対象項目名】００４８
【補正方法】変更
【補正の内容】
【００４８】
図５は、図３における５−５線に沿う先端部本体３６の断面図である。先端部本体３６には、ケーブル挿通孔８９に挿通されて信号ケーブル８６が配設され、これらの信号ケーブル８６は、図２に示した超音波トランスデューサ５０の超音波振動子（不図示）とシステム構成装置とを接続するケーブルであり、これらの信号ケーブル８６は、図１の挿入部１２からユニバーサルコード１４にかけて配設される。図５に示すように、矢印Ａで示す第１方向に垂直な仮想面８７にケーブル挿通孔８９、および起立台収容部６２を投影したとき、ケーブル挿通孔８９は起立台収容部６２の領域６２Ａと異なる領域８９Ａに配置されている。すなわち、ケーブル挿通孔８９と起立台収容部６２は、正面からみたとき、図５に示すように、第２方向に並んで配置されている。ケーブル挿通孔８９は起立台収容部６２の第２方向の一方側（図５において起立台収容部６２の右側方）に配置されている。このとき、起立台収容部６２は、先端部本体３６の中心位置Ｃから、第２方向の他方側（図５において中心位置Ｃから左側方）にオフセットして配置されている。
【手続補正５】
【補正対象書類名】明細書
【補正対象項目名】００５１
【補正方法】変更
【補正の内容】
【００５１】
図４に示すように、矢印Ａで示す第１方向（図４の上下方向）における観察窓４４の位置は、開口部５８の位置を基準位置としたとき、起立台収容部６２の反対側となる位置に配置される。すなわち、先端部本体３６を軸線３８方向に直交する仮想面に投影したとき、観察窓４４は、起立台収容部６２の開口側（開口部５８側）に配置される。このように、観察窓４４を開口部５８より上方とすることで、開口部５８から処置具が導出される位置で、処置具を観察窓４４の観察視野に入れることができる。したがって、目標位置に処置具を案内することができ、狙撃性を向上させることができる。
【手続補正６】
【補正対象書類名】明細書
【補正対象項目名】００５５
【補正方法】変更
【補正の内容】
【００５５】
さらに、起立台６０を回転軸方向からみたとき、処置具挿通チャンネル８２の軸線８２Ａ方向に対して、第１面６４は、起立台収容部６２の開口部５８側に傾斜して設けられている。また、第２面６６は、処置具挿通チャンネル８２の軸線８２Ａ方向に対して、起立台収容部６２の開口部５８側とは反対側に傾斜して設けられている。すなわち、起立台６０が起立位置にある状態において、第１面６４は、処置具挿通チャンネル８２の軸線８２Ａに対して斜め上方に向かって形成されており、第２面６６は、処置具挿通チャンネル８２の軸線８２Ａに対して斜め下方に向かって形成されている。第１面６４を起立台収容部６２の開口部５８側に傾斜して設けることで、第１面６４に当たった洗浄液を、図６の矢印Ｃで示すように、開口部５８側に誘導することができる。また、第２面６６を、起立台収容部６２の開口部５８側とは反対側、すなわち、第１面６４と反対側に傾斜して設けることで、第２面６６に当った洗浄液を、図６の矢印Ｄで示すように、回転軸９２側及び起立台収容部６２の下方に導くことができる。そのため、処置具導出口８０から放出された洗浄液を、起立台収容部６２の内部、特に、起立台６０の下面側に供給することができる。
【国際調査報告】
2019146330.tif 000012
2019146330.tif 000013
2019146330.tif 000014
2019146330.tif 000015